(57)【要約】【課題】  操作者に手間をかけることなく、操作者のニーズに応じた情報を分かりやすく表示することができる「ナビゲーション装置およびナビゲーション方法」を提供する。【解決手段】  カード番号とカード会社との対応関係、およびカード会社と提携店舗との対応関係を予めテーブルにおいて管理しておく。ＥＴＣカードリーダ２５にＥＴＣカードが挿入されると、このＥＴＣカードからカード番号を取得し、これに基づいてテーブルを参照することで、当該ＥＴＣカードで特典を受けられる店舗を特定する。特定された店舗は、優先されるか又は強調されるように描画され、表示部７に表示される。ドライバはこのアイコンを選択することで、店舗が提供する特典の内容を閲覧することができる。【選択図】          図１
2005338006.tif 000002
【特許請求の範囲】
【請求項１】
地図上に店舗のアイコンを描画して表示するナビゲーション装置であって、
クレジット機能付きのカードからカード番号を取得するカード番号取得手段と、
前記カード番号取得手段で取得したカード番号に基づいて前記カードで特典が受けられる店舗を特定する特典付き店舗特定手段と、
前記特典付き店舗特定手段で特定された店舗のアイコンが優先されるか又は強調されるように描画する強調アイコン描画手段とを有することを特徴とするナビゲーション装置。
【請求項２】
前記特典付き店舗特定手段で特定した店舗が提供する前記特典の内容を取得する特典内容取得手段と、
優先表示又は強調表示した前記店舗のアイコンを選択させるアイコン選択手段と、
前記アイコン選択手段で選択された前記アイコンに対応する店舗が提供する前記特典の内容を表示する特典内容表示手段とを有することを特徴とする請求項１記載のナビゲーション装置。
【請求項３】
カード番号とカード会社とが関係付けられたカード番号管理テーブルをネットワークを介して所定のサーバから取得するカード番号対応関係取得手段と、
カード会社と当該カード会社と提携関係にある店舗とが関係付けられた提携関係管理テーブルをネットワークを介して所定のサーバから取得する提携関係テーブル取得手段とを有し、
前記特典付き店舗特定手段は、取得したカード番号に基づいて前記カード番号管理テーブルを参照することで前記カードのカード会社を特定し、特定した当該カード会社に基づいて前記提携関係管理テーブルを参照することで前記特典を受けられる店舗を特定することを特徴とする請求項１記載のナビゲーション装置。
【請求項４】
前記カードはＥＴＣカードであり、
前記カード番号取得手段はＥＴＣカードリーダであることを特徴とする請求項１記載のナビゲーション装置。
【請求項５】
地図上に店舗のアイコンを描画するナビゲーション方法であって、
クレジット機能付きのカードからカード番号を取得する第１ステップと、
前記第１ステップで取得したカード番号に基づいて前記カードで特典が受けられる店舗を特定する第２ステップと、
前記第２ステップで特定した店舗のアイコンが優先されるか又は強調されるように描画する第３ステップとを有することを特徴とするナビゲーション方法。
【請求項６】
前記第２ステップで特定した店舗が提供する前記特典の内容を取得する第４ステップと、
前記第３ステップで優先表示又は強調表示した前記店舗のアイコンを選択させる第５ステップと、
前記第５ステップで選択された前記アイコンに対応する店舗が提供する前記特典の内容を表示する第６ステップとを有することを特徴とする請求項５記載のナビゲーション方法。
【発明の詳細な説明】
【技術分野】
【０００１】
本発明は、ナビゲーション装置およびナビゲーション方法に関し、特にＥＴＣカードシステムが搭載された車両に実装して好適なナビゲーション装置およびナビゲーション方法に関する。
【背景技術】
【０００２】
近年、経路誘導を誘導するだけでなく、経路上若しくは近辺に存在するサービスステーション（ＳＳ）やコンビニエンスストア（ＣＳ）など、種々の情報も合わせてドライバへ提示することが可能なナビゲーション装置が主流になってきた。
【０００３】
しかしながら、主要道路や繁華街などでは、店舗などのランドマークが密集している。このため、これらを全て表示しては、かえってドライバを混乱させかねないという問題が存在する。
【０００４】
このような問題を解決する技術として、たとえば以下に示す特許文献１には、予め登録された複数の銘柄から、所望する特定の銘柄およびその優先順位を操作者に登録させ、登録された優先順位に基づいて整理して情報を提示する構成が開示されている。
【特許文献１】特開平１０−８９９９２号公報
【発明の開示】
【発明が解決しようとする課題】
【０００５】
しかしながら、上記した特許文献１による技術では、ドライバなどの操作者が優先したい情報を予め登録しなければならず、操作者に手間をかけてしまうという問題が存在する。
【０００６】
そこで本発明は、上記の問題に鑑みてなされたものであり、操作者に手間をかけることなく、操作者のニーズに応じた情報を分かりやすく表示することができるナビゲーション装置およびナビゲーション方法を提供することを目的とする。
【課題を解決するための手段】
【０００７】
かかる目的を達成するために、本発明は、地図上に店舗のアイコンを描画して表示するナビゲーション装置であって、クレジット機能付きのカードからカード番号を取得するカード番号取得手段と、前記カード番号取得手段で取得したカード番号に基づいて前記カードで特典が受けられる店舗を特定する特典付き店舗特定手段と、前記特典付き店舗特定手段で特定された店舗のアイコンが優先されるか又は強調されるように描画する強調アイコン描画手段とを有して構成される。クレジット機能付のカードからカード番号を取得することで、当該カードがどのカード会社系列のカードであるかを特定することができる。また、カード会社が特定できれば、カード会社と提携関係にある店舗やカード会社ごとに提供している特典を特定することができる。このような構成に基づくことで、本発明のように、特典が受けられる店舗など、すなわちドライバなどの操作者のニーズに応じた情報をカード番号から自動的に導き出すことができる。また、このように導き出した情報である店舗を優先的または強調して表示することで、この情報を操作者に分かりやすく提供することができる。
【０００８】
また、本発明は、上記した構成の他に例えば、前記特典付き店舗特定手段で特定した店舗が提供する前記特典の内容を取得する特典内容取得手段と、優先表示又は強調表示した前記店舗のアイコンを選択させるアイコン選択手段と、前記アイコン選択手段で選択された前記アイコンに対応する店舗が提供する前記特典の内容を表示する特典内容表示手段とを有して構成されてもよい。特典の内容を表示可能に構成することで、操作者はどの店舗でどのような内容の特典が受けられるかを知ることができる。
【０００９】
また、本発明は、上記した構成の他に例えば、カード番号とカード会社とが関係付けられたカード番号管理テーブルをネットワークを介して所定のサーバから取得するカード番号対応関係取得手段と、カード会社と当該カード会社と提携関係にある店舗とが関係付けられた提携関係管理テーブルをネットワークを介して所定のサーバから取得する提携関係テーブル取得手段とを有し、前記特典付き店舗特定手段が取得したカード番号に基づいて前記カード番号管理テーブルを参照することで前記カードのカード会社を特定し、特定した当該カード会社に基づいて前記提携関係管理テーブルを参照することで前記特典を受けられる店舗を特定するように構成されても良い。カード番号とカード会社と、ならびにカード会社と提携店舗とが関係付けられたテーブルを用いることで、カード番号から容易に特典が受けられる店舗を特定することができる。また、これらの対応関係を所定のサーバで管理しておくことで、この関係を容易に最新の情報に保つことができる。
【００１０】
また、本発明は、上記した構成において例えば、前記カードがＥＴＣカードであり、前記カード番号取得手段がＥＴＣカードリーダであるように構成されても良い。近年、普及してきているＥＴＣカードシステムを用いる、すなわち既存のアプリケーションを利用することで本発明の汎用性を広げることができる。
【００１１】
また、本発明は、地図上に店舗のアイコンを描画するナビゲーション方法であって、クレジット機能付きのカードからカード番号を取得する第１ステップと、前記第１ステップで取得したカード番号に基づいて前記カードで特典が受けられる店舗を特定する第２ステップと、前記第２ステップで特定した店舗のアイコンが優先されるか又は強調されるように描画する第３ステップとを有して構成される。クレジット機能付のカードからカード番号を取得することで、当該カードがどのカード会社系列のカードであるかを特定することができる。また、カード会社が特定できれば、カード会社と提携関係にある店舗やカード会社ごとに提供している特典を特定することができる。このような構成に基づくことで、本発明のように、特典が受けられる店舗など、すなわちドライバなどの操作者のニーズに応じた情報をカード番号から自動的に導き出すことができる。また、このように導き出した情報である店舗を優先的または強調して表示することで、この情報を操作者に分かりやすく提供することができる。
【００１２】
また、本発明は、上記した構成の他に例えば、前記第２ステップで特定した店舗が提供する前記特典の内容を取得する第４ステップと、前記第３ステップで優先表示又は強調表示した前記店舗のアイコンを選択させる第５ステップと、前記第５ステップで選択された前記アイコンに対応する店舗が提供する前記特典の内容を表示する第６ステップとを有して構成されても良い。特典の内容を表示可能に構成することで、操作者はどの店舗でどのような内容の特典が受けられるかを知ることができる。
【発明の効果】
【００１３】
本発明によれば、操作者に手間をかけることなく、操作者のニーズに応じた情報を分かりやすく表示することができるナビゲーション装置およびナビゲーション方法を実現することができる。
【発明を実施するための最良の形態】
【００１４】
以下、本発明を実施するための最良の形態を図面と共に詳細に説明する。
【実施例１】
【００１５】
本発明の実施例１を説明するにあたり、実施例１の概要を説明する。本実施例では、近年普及してきたＥＴＣ（Electronic  Toll  Collection）カードシステムを利用したナビゲーション装置（特に車載用ナビゲーション装置）である。本実施例によるナビゲーション装置は、ＥＴＣカードからカード番号を取得し、これに基づいてドライバなどの使用者（以下、ドライバとする）が得をする、すなわちニーズにあった情報を特定する。
【００１６】
ＥＴＣカードは、一般的にドライバが所持しているクレジットカードの中の１つとして扱われている。クレジットカードの多くは販売店や企業など（以下、会社という）と提携していることが多く、カード利用者は、そのカード会社（クレジットカード会社ともいう）と提携している会社でのクレジットカード利用により特典（利用ポイントに応じた割引など）を受益することができる。
【００１７】
特にガソリン販売系列のＥＴＣカードの場合、ドライバが贔屓にしているガソリン販売系列が発行しているのクレジットカードであることが多い。つまり、ガソリン販売系列のＥＴＣカードの使用者（＝所有者）は、利用するガソリン販売店系列にこだわりがあり、事情が無い限り、この系列のガソリン販売店を利用すると考えられる。しかしながら、従来のナビゲーション装置でサービスステーション（ＳＳ）を検索すると、以上のようなドライバの嗜好ではなく、すべてのサービスステーションを表示してしまい、かえってドライバを混乱させる結果となる。
【００１８】
そこで本実施例によるナビゲーション装置は、ＥＴＣカードリーダに差し込まれたＥＴＣカードからカード番号を取得し、その番号からどの系列のクレジットカードであるかを特定する。また、本実施例によるナビゲーション装置は、特定した系列から、ドライバの嗜好に合致する地点、ドライバが特典を受益できる地点などを割り出し、ディスプレイ上でこれらの情報（以下、サービス情報という）を表示する際、優先的又は強調して表示する。
【００１９】
また、本実施例では、ネットワークを介して常に最新のサービス情報を保持しておくように構成することが好ましい。これによりドライバへ正確なサービス情報を提供することが可能となる。
【００２０】
次に、本発明による実施例１について図面を用いて詳細に説明する。図１は本実施例１によるナビゲーション装置１０の構成を示すブロック図である。
【００２１】
図１において、読取り機構１は、地図データやその他の案内データを格納したＣＤ（コンパクトディスク）−ＲＯＭ（Read Only Memory）やＤＶＤ（Digital Versatile Disc）−ＲＯＭ等の記録媒体を読み込むため構成である。ただし、これに限定されず、たとえばハードディスクドライブなどの記憶装置も適用することができる。
【００２２】
操作部２は、ドライバが車載用ナビゲーション装置１０に各種操作・設定を入力するための構成である。これは、リモートコントローラ装置やコントロールパネル等のように個別に構成されていても、後述する表示部７と一体に形成されたタッチパネル式の入力装置として構成されていても良い。更には、音声入力用のマイクロフォン等で構成されてもよい。送受信部３は、各種サービスセンタ等と通信するための車載電話機等で構成される。ＶＩＣＳ（道路交通情報通信システム）受信部４は、電波ビーコン又は光ビーコンから送信されてくるＶＩＣＳ情報を受信するための構成である。ＧＰＳ（Global Positioning System）受信部５は、ＧＰＳ衛星から送信されてくるＧＰＳ信号を受信して車両の現在位置の緯度及び経度を検出するための構成である。自立航法センサ６は、車両方位を検出するためのジャイロ等を含む角度センサ６ａと、一定の走行距離毎にパルスを発生する距離センサ６ｂとを有して構成されており、車両の進行方向や速度を検出する。
【００２３】
表示部７は、例えば液晶表示方式のディスプレイ装置等で構成され、車載用ナビゲーション装置１０から入力された、地図や誘導経路や車両の現在位置やその他ランドマーク等の各種情報を画面上に表示するための構成である。スピーカ８は、同じく車載用ナビゲーション装置１０から入力された音声案内情報等を出力するための構成である。尚、スピーカ８はその他、音響装置等から入力された音楽等も出力することができる。
【００２４】
また、車載用ナビゲーション装置１０において、バッファメモリ１１は、後述する制御部１７からの制御の下に読取り機構１から入力された地図データ等を一時的に格納するための構成である。Ｉ／Ｆ（インタフェース）１２，１３，１４，１５及び１６は、それぞれ操作部２，送受信部３，ＶＩＣＳ受信部４，ＧＰＳ受信部５及び自立航法センサ６と車載用ナビゲーション装置１０における内部バスとを接続するための構成である。
【００２５】
制御部１７は、例えばマイクロコンピュータやＣＰＵ（中央演算処理装置）等の演算処理装置で構成される。この制御部１７は、ナビゲーション用のプログラム（後述する経路探索の処理やそれに基づく経路案内に必要な表示出力制御等を行うためのプログラム）を内蔵しており、このプログラムに従い、ＧＰＳ受信部５及び自立航法センサ６から出力される信号に基づいて車両の現在位置を検出したり、表示させたい地図のデータ等を読取り機構１からバッファメモリ１１に読み出したり、バッファメモリ１１に読み出した地図データから誘導経路を探索する等のナビゲーションに係る種々の処理を実行する。但し、例えば上記のプログラムはＣＤ−ＲＯＭやＤＶＤ−ＲＯＭ等に記憶しておくことも可能である。この場合、制御部１７は必要に応じてこれを読出し、実行する。
【００２６】
地図描画部１８は、バッファメモリ１１に読み出された地図データを用いて地図画像の描画処理を行うための構成である。表示情報生成部１９は、動作状況に応じて各種メニュー画面（操作画面）及び車両位置マーク，カーソル等の各種マークを生成するための構成である。誘導経路記憶部２０は、出発地及び目的地やその他の探索条件に基づいて制御部１７において探索された誘導経路の全てのノードに関するデータ及び探索中に変更された誘導経路のデータ（以下、これらを誘導経路データという）を格納しておくための構成である。誘導経路描画部２１は、誘導経路記憶部２０から誘導経路データを読み出して誘導経路を他の道路とは異なる表示態様（色や線幅を用いた強調表示等）で描画するための構成である。アイコン描画部２２は、地図データに含まれる各ランドマークのデータ（物件データともいう）に対応する個々のランドマークをそれぞれ指示するためのアイコンの描画処理を行うための構成である。音声出力部２３は、例えばＤＳＰ（Digital Signal Processor）等を含んで構成され、制御部１７からの信号に基づいて音声信号をスピーカ８に出力する。
【００２７】
画像合成部２４は、地図描画部１８で描画された地図画像に、誘導経路描画部２１で描画された誘導経路や、表示情報生成部１９で描画された操作画面及び各種マークや、アイコン描画部２２で描画された各ランドマークを指示するアイコン等を適宜重ねて、表示部７に表示させるための構成である。
【００２８】
また、本実施例による制御部１７には、Ｉ／Ｆ２６を介してＥＴＣカードリーダ２５が接続され、ＥＴＣカードリーダ２５で読み込まれた情報が入力される。すなわち、ＥＴＣカードリーダ２５はカード番号取得手段として機能する。本実施例では、特にＥＴＣカードリーダ２５に差し込まれたＥＴＣカードのカード番号が制御部１７に入力される。一般的なＥＴＣカードは１９桁前後であって、ＥＴＣカード番号とＥＴＣカード発行元とを関連付ける管理用個別テーブルを有し、例えばサーバから提供されるものである。
【００２９】
このようなＥＴＣカード番号が入力された制御部１７は、バッファメモリ１１に保持しておいた後述する各種テーブルに基づいて、ＥＴＣカードリーダ２５に挿入されているＥＴＣカードがどのカード会社であるかを認識する。
【００３０】
次に、バッファメモリ１１に保持された各種テーブルについて図面と共に説明する。図２は、本実施例によるカード番号管理テーブルの一例を示す図である。図２に示すように、カード番号管理テーブルでは、ＥＴＣカードを発行したＥＴＣカード発行会社と、当該ＥＴＣカード発行会社と提携している（すなわち、ＥＴＣカードにクレジット機能を付加した）カード会社と、当該ＥＴＣカードのカード番号とが関係付けられている。なお、カード番号は所定の桁数で表示されている。このようなカード番号管理テーブルを用いることで、制御部１７は、入力されたカード番号から、当該ＥＴＣカードの発行会社と当該ＥＴＣカードにクレジット機能を付加したカード会社とを特定することができる。
【００３１】
また、図３は、本実施例による提携関係管理テーブルである。図３に示すように、提携関係管理テーブルでは、上記したカード会社と、当該カード会社と提携関係にある店舗等（以下、提携会社または単に会社という）とが関係付けられている。なお、提携会社は、図３に示すように、サービスステーションやコンビニエンスストアなどのジャンルによって区分されていてもよい。このような提携関係管理テーブルを用いることで、制御部１７は、カード番号管理テーブルで特定したカード会社から、当該ＥＴＣカードで特典を受けられる提携会社を特定することができる。すなわち、制御部１７は、カード番号管理テーブルと提携関係管理テーブルとを用いることで、特典付き店舗特定手段として機能することができる。
【００３２】
さらに図４は、本実施例によるサービス情報管理テーブルである。図４に示すように、サービス情報管理テーブルでは、上述したカード会社に対して提携会社が対応づけられている。また、各提携会社には、それぞれカード利用者への特典（サービス情報）が対応づけられている。このようなサービス情報管理テーブルを用いることで、制御部１７は上記で特定したカード会社から、どの提携会社でどのような特典を受けられるかを特定することができる。すなわち、制御部１７は、サービス情報管理テーブルを用いることで、特典内容取得手段として機能することができる。
【００３３】
次に、制御部１７がドライバのニーズに応じた情報、すなわちドライバが特典を受けられる店舗等の情報を特定し、これを表示する際の動作を図面と共に説明する。なお、本動作に先だって、上述した各種テーブルが読取り機構１または送受信部３から入力され、バッファメモリ１１に保持されているものとする。また、上述したテーブルのうち、カード会社毎サービス情報管理テーブルは、送受信部を介して所定のサーバから定期的（たとえば１日ごと）に最新情報をダウンロードすることで、常に最新の内容が維持されるように構成されることが好ましい。
【００３４】
図５はナビゲーション装置１０がサービス情報をドライバへ表示する際の動作を示すフローチャートである。なお、図５では、制御部１７を主体として説明する。
【００３５】
図５に示すように、ナビゲーション装置１０が起動すると、制御部１７はまず、送受信部３からインターネットまたは専用回線などのネットワークを介して所定のサーバへアクセスし（ステップＳ１０１）、最新のカード番号管理テーブルと提携会社管理テーブルとサービス情報テーブルとを取得する（ステップＳ１０２）。なお、所定のサーバとは、たとえばナビゲーション装置の製造／販売メーカまたはこれと提携したサービスベンダなどで管理されたサーバであり、常に最新のカード番号管理テーブルと提携会社管理テーブルとサービス情報テーブルとを自動またはオペレータの作業により維持している。このように、制御部１７は、送受信部３を介した通信を行うことで、カード番号とカード会社とが関係付けられたカード番号管理テーブルをネットワークを介して所定のサーバから取得するカード番号対応関係取得手段、およびカード会社と当該カード会社と提携関係にある店舗とが関係付けられた提携関係管理テーブルを、ネットワークを介して所定のサーバから取得する提携関係テーブル取得手段として機能することができる。
【００３６】
以上のように最新の各種テーブルを取得すると、制御部１７はバッファメモリ１１にこれらテーブルを展開しておく（ステップＳ１０３）。
【００３７】
次に制御部１７は、ＥＴＣカードリーダ２５へアクセスし、ＥＴＣカードリーダにＥＴＣカードが差し込まれているか否かを検知する（ステップＳ１０４）。この検知の結果、ＥＴＣカードが差し込まれていない場合（ステップＳ１０４）、ＥＴＣカードが差し込まれるまで、以降の処理を待機する。一方、ＥＴＣカードリーダ２５にＥＴＣカードが差し込まれている場合（ステップＳ１０４のＹｅｓ）、制御部１７はＥＴＣカードリーダ２５から差し込まれているＥＴＣカードのカード番号を取得する（ステップＳ１０５）。
【００３８】
次に制御部１７は、取得したカード番号に基づいてカード番号管理テーブルを参照することで、ＥＴＣカード発行会社と提携しているカード会社を特定し（ステップＳ１０５）、さらに特定したカード会社から当該カード会社と提携関係にある会社（提携会社）を特定する（ステップＳ１０６）。
【００３９】
その後、制御部１７はナビゲーション動作へ移行する。ナビゲーション動作では、制御部１７は、地図描画部１８，表示情報生成部１９，誘導経路記憶部２０，誘導経路描画部２１，アイコン描画部２２，画像合成部２４を制御することで、地図イメージや誘導経路を表示部７に表示させる。この際、制御部１７は、上記で特定した提携会社の店舗等のアイコンを優先的にまたは強調して表示するための処理を実行する。この動作を図６に示す。
【００４０】
図６に示すように、ナビゲーション動作へ移行した制御部１７は、図５のステップＳ１０６で特定した提携会社の店舗等（たとえばサービスステーションやコンビニエンスストアなど）を描画する必要があるか否か、換言すれば描画する地図上に特定した提携会社の店舗等が含まれるか否かを常時監視する（ステップＳ１１１）。特定した提携会社の店舗等のアイコンを描画する必要がある場合（ステップＳ１１１のＹｅｓ）、制御部１７は該当するアイコンが強調表示または優先的に表示されるようにアイコン描画部２２を命令し、制御する（ステップＳ１１２）。これにより、図７に示すように、カード会社と提携関係にある会社の店舗（サービスステーション（ＳＳ）やコンビニエンスストア（ＣＳ）など）が強調表示される。
【００４１】
以降、制御部１７はナビゲーション動作を継続している限り、この動作を繰返し実行する。なお、この動作の終了は割り込み終了信号により行われる。
【００４２】
また、制御部１７は、ナビゲーション動作中、ドライバより強調表示したアイコンが選択された場合、当該アイコンに対応する提携会社（店舗）が提供する特典の情報（サービス情報）をドライバへ提示するために、図８に示すようなプロセスを常時立ち上げておく。この動作を図８と共に説明する。
【００４３】
図８に示すように、制御部１７は常時、強調表示したアイコンが選択されたか否かを監視する（ステップＳ１２１）。すなわち、図８に示す表示画面において、強調表示したアイコンが画面上で選択されたか否かを判定する。なお、表示部７はタッチパネル式のディスプレイとする。すなわち、表示部７は店舗のアイコンを選択させるアイコン選択手段として機能することができる。
【００４４】
ドライバからアイコンが選択されると（ステップＳ１２１のＹｅｓ）、制御部１７は選択されたアイコンに対応づけられた提携会社に基づき、サービス情報管理テーブルを参照することで、当該提携会社が提供している特典の内容（サービス情報）を取得する（ステップＳ１１２）。
【００４５】
次に制御部１７は、特定したサービス情報を表示情報生成部１９に入力することで、これを表示部７上にポップアップ表示させる（ステップＳ１２３）。図９にサービス情報をポップアップ表示した際の表示画面の一例を示す。
【００４６】
このようなポップアップウィンドウはたとえば所定の時間継続して表示される。その後、所定の時間経過すると（ステップＳ１２４）、制御部１７はポップアップウィンドウを消去し（ステップＳ１２５）、ステップＳ１２１へ帰還して次のアイコンが選択されるのを待機する。以降、制御部１７はナビゲーション動作を継続している限り、この動作を繰返し実行する。なお、この動作の終了は割り込み終了信号により行われる。
【００４７】
以上のように構成および動作することで、本実施例によれば、操作者（たとえばドライバ）に手間をかけることなく、操作者のニーズに応じた情報を分かりやすく表示することが可能となる。
【００４８】
ただし、本実施例では、ＥＴＣカードリーダを備え、このＥＴＣカードリーダに差し込まれたクレジット機能付のＥＴＣカードのカード番号を用いているが、本発明はこれに限定されず、クレジット機能が付いたカードのカード番号であり、当該カードのカード会社がカード番号から特定できるのであれば、如何なるカード及びカード番号も適用することができる。
【００４９】
なお、上記した実施例１は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【図面の簡単な説明】
【００５０】
【図１】本発明の実施例１によるナビゲーション装置１０の構成を示すブロック図である。
【図２】本発明の実施例１によるカード番号管理テーブルの一例を示す図である。
【図３】本発明の実施例１による提携関係管理テーブルの一例を示す図である。
【図４】本発明の実施例１によるサービス情報管理テーブルの一例を示す図である。
【図５】ナビゲーション装置１０がサービス情報をドライバへ表示する際の動作を示すフローチャートである。
【図６】特定した提携会社の店舗等のアイコンを優先的にまたは強調して表示する際の制御部１７の動作を示すフローチャートである。
【図７】アイコンが強調表示された表示画面の一例を示す図である。
【図８】ドライバより強調表示したアイコンが選択された場合に当該アイコンに対応する提携会社のサービス情報をドライバへ提示する際の制御部１７の動作を示すフローチャートである。
【図９】サービス情報がポップアップ表示された表示画面の一例を示す図である。
【符号の説明】
【００５１】
１  読取り機構
２  操作部
３  送受信部
４  ＶＩＣＳ受信部
５  ＧＰＳ受信部
６  自立航法センサ
６ａ  角度センサ
６ｂ  距離センサ
７  表示部
８  スピーカ
１０  ナビゲーション装置
１１  バッファメモリ
１２、１３、１４、１５、１６、２６  Ｉ／Ｆ
１７  制御部
１８  地図描画部
１９  表示情報生成部
２０  誘導経路記憶部
２１  誘導経路描画部
２２  アイコン描画部
２３  音声出力部
２４  画像合成部
２５  ＥＴＣカードリーダ
【図１】
2005338006.tif 000003
【図２】
2005338006.tif 000004
【図３】
2005338006.tif 000005
【図４】
2005338006.tif 000006
【図５】
2005338006.tif 000007
【図６】
2005338006.tif 000008
【図７】
2005338006.tif 000009
【図８】
2005338006.tif 000010
【図９】
2005338006.tif 000011